【手続補正書】
【提出日】平成27年5月15日(2015.5.15)
【手続補正１】
【補正対象書類名】特許請求の範囲
【補正対象項目名】請求項１
【補正方法】変更
【補正の内容】
【請求項１】
スト−マ排便装具の市販面板ストーマ挿入口の丸穴周辺部にソフトスポンジシ−ル（１）を設ける、透明リング（２）は取付け時の挿入用品として使用する。
以上の構成によりなる排便洩れ防止装具。
【手続補正２】
【補正対象書類名】明細書
【補正対象項目名】０００１
【補正方法】変更
【補正の内容】
【０００１】この発明は、ストーマ排便装具の市販面板は隙間及び腸の働きによるぜん動運動でシール面になるお腹面が凹むそれが原因で排便洩れが起きるその隙間を埋めるシール対策に関する物である。
【手続補正３】
【補正対象書類名】明細書
【補正対象項目名】０００２
【補正方法】変更
【補正の内容】
【０００２】従来のストーマ排便装具の中で市販面板は最初からストーマ挿入口の丸穴が開いたものか開いていないもの二種類でいずれにしても排便洩れになるシール対策が施されていない。
【手続補正４】
【補正対象書類名】明細書
【補正対象項目名】０００３
【補正方法】変更
【補正の内容】
【０００３】これは次のような欠点があった。
いつ排便が有るかわからないのを常に受けられる様にするストーマ装具の市販面板は従来、スト−マ径の大きさに合わせて市販面板に丸穴加工された物か穴の開いていないものを自分でスト−マ径に合わせてその都度穴をハサミで切取る物が有りますがその都度ストーマの異形に合わせて切取るのは困難で有り面倒で隙間を無くす事は不可能であり、スト−マ根っこの異形外径等でどうしても隙間が出来る、わずかな隙間でもある所には必ず腸のぜん動運動でスト−マ周りのお腹面は大きく凹み排便時にはストーマ根っ子は排便圧力の直撃を受けるので市販面板は柔軟性を欠いている事からお腹面の凹みに沿わず穴周りの貼付け面の接着面が一部剥がれそこへ消化不良の固形異物がクサビを入れるかの様にかみ込んだりすると排便の浸入口になる、いずれじわじわと剥しながら浸入して全面を剥してしまい排便洩れがおきる。身体には感じないので突然臭いで驚く事態が起きる。公衆の場所によっては対処するすべも無くつらい思いをするはめになり困る事が多かった。
本発明は以上のような欠点をなくす為になされた物である。
【手続補正５】
【補正対象書類名】明細書
【補正対象項目名】０００４
【補正方法】変更
【補正の内容】
【０００４】ストーマ装具の市販面板ストーマ挿入口丸穴径周りにソフトスポンジシール（１）を設けるが、内胴のストーマ外径に接触するソフトスポンジシール（１）にシール性をもたす為［図１］の如くストーマ外径より少し小径の内胴に竹の子風の波状を二列配列した中空円筒のものにする、図中の［図１］のＡ部詳細に記載している様に市販面板挿入口丸穴径の＊印の太線部にソフトスポンジシール（１）側に切込溝を入れておきその部分を組合せて接着するがそこから先のスポンジの厚みはぜん動運動でお腹面が凹む分を想定して決めたもので有り図１の右下部の（▲１▼の取付け圧縮前状態図）に記載している圧縮代分を含めたものをお腹面と市販面板との間に設ける、それをお腹面に貼付けて押付けて圧縮するお腹面の＊印の太線部は人体に害の無い防水性液で薄い膜を貼り水分を遮断しておいてお腹面に当たる面は市販面板のお腹面貼付面と同等の肌に優しい接着剤を塗布してお腹面に圧縮接着して使用する事、Ｄ−断面の状態にする事で排便洩れの対策をする。ソフトスポンジシール（１）の素材選定他に透明リング（２）をガイドとして使用して取付ける事等が技術的なポイントになる。ソフトスポンジシール（１）は理想としては安価にする為に、又傷を付けない様に取付けする為に柔らかで滑らかな感触で少しの圧縮で水を通しにくいシール性ある物があれば最良と考えていますが全てを満たす素材が無ければ新商品を開発できれば一番良いと考えますが基本的に加工状無理が有る場合にはやもえず、［図１］Ａ部詳細に記載の如く二種類のスポンジの組合せた物を接着して使用する事になるのですが少なくともストーマ接触面のみは傷付けない様にする為に柔らかで滑らかな感触の物を考えています図中の“ａ１”はソフトスポンジで特性が柔らかで滑らかな感触であり“ａ２”はゴムスポンジで特性が少しの圧縮で水、空気を通しにくい素材で有りソフトスポンジに比べて少し硬めの物なので最適なので二種類を接着剤で貼合わせて取付け使用する事になりますが、両方の特性を合わせた融合品でシール性のある物を同時加工ができれば加工手間が削減出来て最適と考えています。ソフトスポンジシール（１）をいかにしてシールとしての大役を果たさせるか、解決策は三つ有り課題の一つ目の欠点になる課題の解決策は市販面板挿入口丸穴径とストーマの異形外径により出来る［図３］Ｂ−Ｂ矢視＊１印部の隙間をソフトスポンジシール（１）で平面的に上面から塞ぎ圧縮して接着する事でお腹面に排便圧力の直撃をさける様にする仕組みをシール対策にする、同時に二つ目の欠点になる課題の解決策をストーマ外径とソフトスポンジシールの内胴をストーマ外径より少し小径にして竹の子風の波状にして二列配列する事で内径の隙間を最小限にする事と、排便の浸入及び排便圧力をストーマ根っ子にまでストレートに届かない様にする事［図１］のＡ部詳細の排便洩れの浸入口に当たるスポンジの先端を傷付けない様にアール状にしてスポンジ表面の繊維質が滑りを悪くして浸入に抵抗を持たせる事が図中の“ｄ”部に傾斜をつける事で抵抗の無い外周へ圧力をそらし排便洩れの流れの道を外へ外へと広がり排出させる事でストーマ周上の根っ子には大きな排便圧力が届かない様にする事が出来るので排便洩れが軽減される仕組みをシール対策にする、特に難題である三つ目の欠点になる課題の解決策をぜん動運動で硬い排便排出の前はストーマ周りに沿う筋力のせいか排便排出する為にストーマ周りのお腹面が内部から全体に大きく吸引された様になり全体に凹むと市販面板は柔軟性を欠きお腹面の凹みに沿わず丸穴径周りの接着面が一部剥がれると消化不良の固形の異物がクサビ入れたかの様にかみ込んだりするとそこが突破口になり排便の浸入があり排便洩れが起きる、又ストーマ周りのお腹面でも筋力のせいか一部分が特に深く凹みが起きる為多様な凹み対策にソフトスポンジシール（１）を圧縮して取付ける事でお腹面がいかに凹もうとしてもお腹とソフトスポンジシール（１）の接着面がお腹面の動きに引かれて素早く順応して即座に膨らみソフトスポンジシール（１）で凹みを埋めて排便受入れの多様な隙間を造らせない様にして排便受入れの空洞を造らせない様にする仕組みを排便洩れシール対策にする、以上の排便洩れをソフトスポンジシール（１）のみで解決しようとする物であります。排便洩れを遮断している［図３］Ｃ−矢視下半分の状態図の如くになるので排便洩れの原因を全て解決出来る仕組みである。長々とした説明になりましたが単純に言えば市販面板のストーマ挿入口丸穴径を生かしてそこえソフトスポンジシール（１）を組込み圧縮して取付け使用する、硬質の固形シールではお腹面の凹み変化には順応出来ないので無理であるそこでソフトスポンジシールを圧縮して接着する事でぜん動運動のお腹面への動きに瞬時に順応して排便の浸入を凹みに受入れない様に空洞を造らせない事を解決する為の手段に考えています。［図３］Ｄ−Ｄ断面の如くお腹面に圧縮して接着するだけの事なのです。本考案の商品使用する前には自分のストーマの大きさを把握して、ストーマとの隙間を最小限にする為にもソフトスポンジシール（１）のストーマ挿入口の丸穴径は排便が起きない自然体の時に一度だけ自分のストーマ根っこの周長を糸で計測して円直径算出して近似サイズ径より少しマイナス目程度のソフトスポンジシール（１）の丸穴内径をストーマ径として選定する事と透明リング（２）をガイドにして使用する事で豆腐の様に柔らかい軟らかなストーマの一部異形を矯正して包む様に正確に取付ける事が出来る、重複しますがストーマ周りの隙間を少なくするのでストーマに傷を付けない為にガイド゛リング（２）を使用するのはスライドさせて傷を付けない様に取付けする為です、［図３］Ｆ−断面の状態は透明リング（２）を使用してストーマに差入れて突当たりで位置決めをして抜取る事でストーマを包み込む様に取付けられた状態図です。ソフトスポンジシール（１）のストーマ内径は最小限にするがストーマにはソフトスポンジの素材が柔らかな滑らかでクッションもあり又水分も含むのでストーマにストレス負担がかかる程の締付け力はかからない様にするうえに排便圧を受けてもソフトスポンジシール（１）が外周に膨らみ力が逃げるので身体には負担のない状態にして使用する事が出来る、又ソフトスポンジシール（１）の特性上内径表面がぜん動運動で起きるお腹周りの凹みが原因でストーマ表面が多少前後に引かれてスライドしてもソフトスポンジなので又水分も含むのでストーマを傷付けない様に保護する事が出来る、少し隙間のある所には排便の浸入も有りえるので傷を付けない潤滑剤の役目を果たす働きをもする。排便洩れは１００％硬い排便の時に起きる便が軟質であればある程ストーマ周りのお腹面は凹みも無く排便圧力も受けないので１００％心配は有りませんのですがその様にならない様に充分水分を補給する事で便が硬くならない様に心がけるのが排便洩れ対策の絶対必要条件ですが体調によりたまに硬い排便が起きるのが実態である。その時の為にいかなる状態でも不安の無い安心な物をとストーマ保有者は要望しているのです。排便の排出の時はストーマ内側の排便の通路は内圧がかかり外周は膨らみソフトスポンジシール（１）の内径周上全面に押付けるので隙間が狭くなるが広がる事は無いので排便洩れが悪化する様な事はありえ無いので心配する事は無くシール対策解決策上心配がない、さまざまの状況によるシール対策の説明を述べましたですが単品のソフトスポンジシール（１）でさまざまの状況でのシール対策に対応出来る仕組みである。
本発明は以上の構成よりなる排便洩れ防止装具である。
【手続補正６】
【補正対象書類名】明細書
【補正対象項目名】０００５
【補正方法】変更
【補正の内容】
【０００５】市販面板のストーマ挿入口丸穴径周りにシール性を高める為に工夫したソフトスポンジシールを設ける事で排便洩れを解決出来る仕組みです。排便洩れの原因である隙間、排便の道を全て遮断する事で解決しようとする構成です。市販面板に排便袋取付け方の種別タイプの中でツーピース、ワンピースの区別も無く共用出来るのでストーマ保有者全ての人に対応出来る利便性が有る。その結果ストーマ保有者の全ての人に付きまとう突然の排便洩れが何時起きるかわからない不安が消える事でさまざまのハンデを取除き安心安全の日常生活を送れる期待感が持てる、行動範囲にも消極的に自制する必要が無く人生を前向きにエンジョイするきっかけになれる期待感の持てる効果がある。
【手続補正７】
【補正対象書類名】明細書
【補正対象項目名】０００６
【補正方法】変更
【補正の内容】
【０００６】以下、本発明を実施するための最良の形態について説明する。
排便装具の市販面板貼付け面とお腹面との間に図中の［図１］のＡ部詳細の如くストーマ外径に当たるソフトスポンジシール（１）の内胴をストーマ外径より少し小径にして傷を付けない為に角部を小さなさアール状にしてストーマ径より小径の竹の子風の波状にしたものを二列配列する事で排便の浸入口に当たる先端方向に常時ストーマが押付ける様になるうえにスポンジ表面の繊維質が滑りを悪くして浸入に抵抗を持たせる事ができるＡ部詳細の“ｄ”部に傾斜を付ける事で排便圧力による排便の流れの道を外へ外へと排出が広がりストーマ周上の根っ子には大きな排便圧力がストレートにお腹面にまで届かない様にする事で便洩れが軽減される仕組みをシール対策にする。中空円筒のソフトポンジシール（１）は理想として安価にする為にソフトで柔らかな滑らかな感触で少しの圧縮で水を通しにくいシール性のあるものがあれば最良と考えていますが全てを満たす物が無ければ新商品を開発できれば工数も削減出来るし一番良いと考えますが基本的に加工に無理が有る場合にはやもえず、［図１］Ａ部詳細の如く二種類のスポンジの組合せた物を接着して使用する事にしたいのですが少なくともストーマ接触面のみは柔らかで滑らかな感触の物を考えています図中の“ａ１”は  シリコーン性のソフトスポンジで特性が柔らかで滑らかな感触であり“ａ２”はゴムスポンジの特性が少しの圧縮で水、空気を通しにくいシリコーン性で有りソフトスポンジに比べて少し硬めの物なので軟質の水分を多く含んだ排便の液洩れが起きない様にする為にも最適ですが両方の特性を融合品にて同時加工ができれば最適と考えています。ソフトスポンジシール（１）をいかにしてシールとしての大役を果たさせるか、排便洩れの原因である三つの課題を解決する事を解決策としたい。一つ目の欠点になる課題の解決策は市販面板挿入口丸穴径とストーマ根っこの異形外径により出来る隙間［図３］Ｂ−Ｂ矢視の＊１印隙間のお腹面に排便圧力の直撃を受けるので隙間をソフトスポンジで平面的に上面から塞ぎ圧縮する事でお腹面に直撃が起きない様にする仕組みをシール対策にする。同時に二つ目の欠点になる課題の解決策をストーマとソフトスポンジシール（１）内径の隙間を最小限にする事とストレートにストーマ根っ子にまで浸入させない工夫をする為に竹の子風のものを二列配列する。特に難題である三つ目の欠点になる課題の解決策をぜん動運動で硬い排便排出する寸前はストーマ周りのお腹面が内部から全体に吸引された様に全体に大きく凹むと同時にストーマ周りに沿う筋力のせいか一部分が特に深い凹みになる事が有り従来の市販面板は柔軟性を欠く事から凹みに同調しないのでお腹面だけの凹みになるので凹みに沿わない事が原因で市販面板ストーマ挿入口の丸穴径周上の一部が剥がれてその隙間に消化不良の小さな固形異物が剥がれた隙間にクサビを入れた様にくい込んだりしてそこが排便の浸入口になったりしてじわじわと浸入して接着面を剥してしまう原因になっていた。その解決策に本考案はぜん動運動でお腹面の凹み空洞を造ろうとした動きが生じればすかさず同調してソフトスポンジシール（１）をお腹面に圧縮接着させている事からお腹面の凹みに引かれていかなる凹みにも順応して膨らみクッション効���でいびつの凹み空洞をすかさず膨らみ埋めてくれるので市販面板の裏面に排便の浸入を塞ぎ元絶つ事が出来る排便受入れの隙間、空洞を造らせない仕組みをシール対策にする。長々とした説明になりますが単純に言えば市販面板のストーマ挿入口丸穴径を生かしそこにソフトスポンジシール（１）を組込み圧縮接着して使用取付けするだけの事で排便洩れの隙間及び凹みの空洞を造らせない排便受入れの道を閉ざす事ができる。図中の［図３］Ｄ−断面の如くお腹面に圧縮接着して取付けするだけなの事ですが外見上も違和感無く薄く圧縮して使用するが数多くの難題のシール対策がなされるのです。以下、シールの取付け方法他シールに関して考慮しておかなければならない事項をもう少し延べておきます。［図１］Ａ部詳細に記載している様に市販面板ストーマ挿入口の＊印の太線部はソフトスポンジシール（１）側に切込溝を入れておき接着液を両面に塗布して間に半割にした油紙シートを挟んで位置決めをした時に剥ぎ取りやすい様に大き目にはみだす様につまみ部分を付けておきます。ソフトスポンジシール（１）を市販面板に取付ける時は片側の端面が傾斜のついた方の外径を指で少しすぼめて市販面板挿入口丸穴径のお腹面側より差入れて市販面板をソフトスポンジシールの切込溝に嵌め込んでＡ部詳細の＊印部に接着する事で一体物にするその時油紙シートを剥し、そこからお腹面側迄のスポンジの厚みは［図１］の右下部に記載している取付け圧縮前状態図）の中にぜん動運動でお腹面の凹み代を想定した圧縮代を決めた厚さ分のものを加工した物では有リますが伸縮自在で有り多少の凹み代に個人差があっても誤差が生じてもスポンジなので伸縮自在で吸収対応出来るから使いやすい、ストーマに取付けの時はソフトスポンジシール（１）の端面傾斜側の丸穴径を少し指で広げてストーマより少し太目内径のシリコーン性透明リング（２）の傾斜部から差込ストーマに傷を付けない様に目視で確認しながらストーマに挿入してお腹面に突き当てれば位置が決まるそこで市販面板と共に［図３］Ｅ−断面の“ｂ”矢視部に指を添えて透明リング（２）を抜取りこの段階まではお腹に接着させない様に設けた半割にした油紙をここで剥がす、［図３］Ｆ−断面が位置決めが出来た圧縮前の状態ですそれをお腹面の＊印の太線部は薄くシリコーンの膜を貼りお腹面に当たる外面には市販面板のお腹面貼付け面と同等の肌に優しい接着剤を塗布しておいて市販面板と共に“ｅ”矢視部に指を添えてお腹面に均等に押付け圧縮してお腹面に貼付け一体感を持たせます、［図３］Ｄ−断面の状態にして使用します。［図３］Ｃ−断面下半分の図は本考案により排便洩れ対策が出来た状態図である。本考案前の従来の市販面板だけの排便洩れの起きている状態図が［図３］Ｃ−断面上半分の排便洩れの状態が現状図です。排便洩れ対策はシールに隙間を造らない様に遮断出来る物で無ければなりませんが難題はストーマそのものが硬い物では無く豆腐の様に軟らかいものですからソフトスポンジの素材性で傷を付けないでストレスを与えない様に最小限の隙間にして取付けて使用する他ぜん動運動でお腹表面の凹みの変化に応じて排便受入れの空洞を造らせない事とストーマ根っ子にまでストレートに排便圧力が届かない様に���る事しか方法が有りません、本考案の商品使用の前には隙間を最小限にする為ソフトスポンジシール（１）のストーマ挿入口の丸穴内径は排便圧力が起きていない自然体の時に自分のストーマ径を把握する為に一度だけ自分のストーマ根っこの周長を糸で計測して円直径算出して近似サイズの丸穴径の少しマイナス目程度としたストーマ径を選定する。又竹の子風の波状は図面上はストーマにめり込んでいるが実際は素材が柔らかで滑らかでもあり水分も含んでもいる為ストーマに大きなストレス負担がかからない又排便排出時に内圧がかかっても全体の形状は維持しようとする事ができる上に排便圧力がストレートに直撃するのをさける事が出来る、スポンジゴムなので周上に膨らみ力が逃げて広がるので負担が起きないので心配は無い物である。ストーマより少し太目の内径の透明リング（２）に差込ストーマに目視で確認しながらそっと挿入してお腹面に突き当てて位置が決まればそこで透明リング（２）を抜取る事で豆腐の様に柔らかいストーマの一部異形を軽く抱く様に矯正して優しく包み込む様に取付けられるので傷を付けず最小限のストーマ周りの隙間にする事が出来る、［図３］Ｆ−断面の状態です。ソフトスポンジシール（１）で隙間は最小限にするが柔らかな滑らかな特性なのでストーマにストレス負担がかかる程の締付け力はかからない様に身体には悪くない状態にして使用する事が出来る、又ソフトスポンジシール（１）は市販面板丸穴内径周上がぜん動運動で起きるストーマ周りの凹みが原因でストーマ外周表面が多少前後に引かれてスライドしてもストーマ自身が豆腐の様に柔らかでも有りソフトスポンジが柔らかで滑らかでも有りストーマ自身及びスポンジ自身が多少伸縮自在がきくのでストーマを傷付けない様に保護する事が出来る、少し隙間のある所には排便の浸入も有りえるので傷を付けない程度の潤滑剤の役目も果たす働きもする。上記に述べた以上の三つの構成より排便洩れをソフトスポンジシール（１）のみで解決しようとする物である。本考案で排便洩れを遮断した［図３］Ｃ−矢視下半分の状態図の如くになる様に排便洩れの原因を解決させる仕組みである。便が軟質で軟いほど排便洩れが起きる心配は有りませんのですが体調により腸の働き具合で何時硬い排便が起きるかもわかりませんので最悪の状態を考慮した完全で不安の無い安心安全な物を必要としています。満員電車内他職場等、公衆の場所によっては対処するすべも無くつらい思いをするはめになります、［図１］Ａ部詳細の中で“ｃ”の寸法はスト−マとの接触面をある程度長くとる事ができれば無防備だったところがスポンジの内周接触表面績の繊維質が硬質での排便の浸入に滑りを悪くして抵抗をもたらしてくれる事がストーマ根っこ部に排便圧力が届かない様にする事が出来る。排便排出の時はスト−マ腸内の排便の通路に内圧がかかり外周は膨らみソフトスポンジシ−ル（１）の挿入口丸穴径周上に押付けて排便の浸入に抵抗をもたらしてくれるのでスト−マの外周部に隙間が大きくなって洩れの原因が悪化する様な事はありえないので大丈夫でシ−ル対策にとって問題はない。充分圧縮する事により接着面とお腹面との一体感を持たせる事が隙間を造らせない排便の道を塞ぐ為の対策である。又お腹面に���逆にぜん動運動で排便排出時には凸の状態の時もあり市販面板取付け面に圧力がかかりソフトスポンジシール（１）全面に尚密着性が高まるのでシ−ル性が上がり好条件になるから心配のない構造である。又市販面板の中で陥没タイプの市販面板もあるが排便洩れで大概は肌が炎症を起こした時にストーマ周りの炎症が完治するまでの期間大きく凹んだりしますがソフトスポンジシール（１）を圧縮して使用する事で多少の凹み誤差は吸収する事が出来るので陥没タイプに拘らなくても対応出来るものでも有ります、又肌表面が痛んでお腹面周りが陥没しているからといって陥没タイプを使用すると三辺の底辺になる平らな肌表面に陥没タイプを押付けて使用するとお腹面が三角形の定義で底辺に当たる肌一辺の（お腹面）が二辺の長さに引っ張られてお腹面側の平らな肌が引張られストーマ根っ子の周りの肌がむけて肉が剥み出して元に戻らなくなり永久に便が肉に接触する様な事態が起きて困る結果になる場合がある。これらあらゆる状況の事もソフトスポンジシール（１）を上面から平面的に塞ぐ事が出来るこれらの状況をも含めて考案した物で有ります。［図３］Ｂ−Ｂ矢視の如くストーマ異形外径の中芯と市販面板丸穴径の中芯が取付け時ストーマ下面の裏側まで見えないので手探りで片側に変芯した状態で貼付けると＊１印隙間が片側だけ大きな隙間になり低排便圧力でも排便洩れの原因が起きて尚悪化するが透明リング（２）を使用する事で誰でも正確に取付けられて、看護婦さんがストーマ装具の取付け指導する時でも熟練者の方を必要とせず時間的にも短縮する事が出来る、取付け時に透明リング（２）を使用する事で最小限の隙間で正確に取付けが出来るので洩れの心配が無くなりストーマ保有者には救世主になりえる物で有ります。市販面板は４、５日に１回の取替になるのでスポンジには排便が浸透して潤滑剤の役目を果たし通常の市販面板の時と変わらず傷を付けないで取外しも出来るので従来の時と変わらず何ら差支えが無い上に、外見上も通常の市販面板取付け時と比べて大きな変化も無く薄くて違和感無く使用出来るので何ら差支えがない。長々とした文章の説明になりましたですが要は硬質の固形シールではぜん動運動で起きるお腹面の凹みには対処出来ませんがソフトスポンジシールの素材とストーマ異形外径により出来る隙間とぜん動運動でお腹面の多様な大きな凹みに対してソフトスポンジシール（１）の特性を生かして柔らかで滑らかなクッション性にて排便洩れの対策をしようとする為の説明で有りました。
本考案は、以上のような構造である。
今までの市販面板には完璧なシール対策をなされた物は無いのが現状で、本考案でいつ起きるかわからない排便洩れの不安が消え安心安全の日常生活が送れたらストーマ保有者の日頃のハンデが克服される、しかも安心した日常生活を送れる期待感が持てる、行動範囲にも自制する事をしなくても自由な行動が出来るので落ち込まず人生にエンジョイ出来るきっかけにもなり得る物になる。
【手続補正８】
【補正対象書類名】明細書
【補正対象項目名】０００８
【補正方法】変更
【補正の内容】
【０００８】  １    ソフトスポンジシ−ル
２    透明リング
【手続補正９】
【補正対象書類名】図面
【補正対象項目名】全図
【補正方法】変更
【補正の内容】
【図１】
2015000327.tif 000001
【図２】
2015000327.tif 000002
【図３】
2015000327.tif 000003